(57)【要約】【課題】分散型基地局が正常である場合、移動通信システムの起動を確保することが可能なベースバンドユニット及びこのベースバンドユニットを用いた基地局システムを提供する。【解決手段】監視制御部１１５は、移動通信システムの起動時にステータスが「ｄｏｗｎ」であるポートがある場合、その状況に応じてスイッチ部１１１−１，１１１−２、ＭＡＣ処理部１１２−１〜１１２−ｋ及びスイッチ部１１３−１，１１３−２のうち少なくともいずれかを切り替える。また、監視制御部１１５は、移動通信システムの起動時にＭＡＣ処理部から異常信号が出力された場合、異常信号を発したＭＡＣ処理部の代わりに非動作状態のＭＡＣ処理部を駆動させる。また、監視制御部１１５は、システム起動時に、構成要素のポートが正常に立ち上がったか否かを監視し、ポートが正常に立ち上がっていない場合には、その構成要素に対して、同一基板内における空きポートを立ち上げるように指示を出す。【選択図】      図２
2011091689.tif 000002
【特許請求の範囲】
【請求項１】
ゲートウェイ装置を介してネットワークと接続し、かつ、複数の基地局を収容するベースバンドユニットにおいて、
それぞれが前記複数の基地局を収容し、受け取った信号の物理層における処理を行うＮ（Ｎは二以上の自然数）個のＰＨＹ処理部と、
前記Ｎ個のＰＨＹ処理部とそれぞれ接続した二個の第１の切替部であって、いずれか一方が信号の伝送を行う第１の切替部と、
前記二個の第１の切替部とそれぞれ接続し、受け取った信号に対してＭＡＣ（Media Access Control）処理を行うＭ（ＭはＮより大きい自然数）個のＭＡＣ処理部であって、前記Ｍ個のＭＡＣ処理部のうちいずれかが前記Ｎ個のＰＨＹ処理部のいずれかと対応付けられるＭＡＣ処理部と、
前記Ｍ個のＭＡＣ処理部と、前記ゲートウェイ装置とそれぞれ接続した二個の第２の切替部であって、いずれか一方が信号の伝送を行う第２の切替部と、
起動時に、前記二個の第１の切替部と、前記二個の第２の切替部と、前記Ｍ個のＭＡＣ処理部とにおける異常の発生を監視し、前記二個の第１の切替部のうち信号を伝送する第１の切替部に異常が発生した場合、他方の第１の切替部に切り替え、前記二個の第２の切替部のうち信号を伝送する第２の切替部に異常が発生した場合、他方の第２の切替部に切り替え、前記Ｍ個のＭＡＣ処理部のいずれかに異常が発生した場合、（Ｍ−Ｎ）個の未使用のＭＡＣ処理部のうちいずれかのＭＡＣ処理部に切り替える監視制御部と
を具備することを特徴とするベースバンドユニット。
【請求項２】
前記Ｎ個のＰＨＹ処理部、前記二個の第１の切替部、前記Ｍ個のＭＡＣ処理部及び前記二個の第２の切替部は、信号を入出力するためのポートをそれぞれ複数ずつ有し、
前記監視制御部は、前記複数のポートを監視し、前記複数のポートにおける信号の入力状況に基づいて前記異常の発生を判断することを特徴とする請求項１記載のベースバンドユニット。
【請求項３】
前記ＭＡＣ処理部は、自己における異常の発生に応じて異常信号を生成する異常検出部をさらに備え、
前記監視制御部は、前記異常信号を受信した場合、前記ＭＡＣ処理部に異常が発生したと判断することを特徴とする請求項１記載のベースバンドユニット。
【請求項４】
前記監視制御部は、前記ポートが正常に立ち上がらなかった場合、同一構成要素内の空きポートを立ち上げることを特徴とする請求項２記載のベースバンドユニット。
【請求項５】
ゲートウェイ装置を介してネットワークと接続する基地局システムにおいて、
無線ゾーンを形成する複数の分散型基地局と、
前記複数の分散型基地局を収容するベースバンドユニットと
を具備し、
前記ベースバンドユニットは、
それぞれが前記複数の分散型基地局を収容し、受け取った信号の物理層における処理を行うＮ（Ｎは二以上の自然数）個のＰＨＹ処理部と、
前記Ｎ個のＰＨＹ処理部とそれぞれ接続した二個の第１の切替部であって、いずれか一方が信号の伝送を行う第１の切替部と、
前記二個の第１の切替部とそれぞれ接続し、受け取った信号に対してＭＡＣ（Media Access Control）処理を行うＭ（ＭはＮより大きい自然数）個のＭＡＣ処理部であって、前記Ｍ個のＭＡＣ処理部のうちいずれかが前記Ｎ個のＰＨＹ処理部のいずれかと対応付けられるＭＡＣ処理部と、
前記Ｍ個のＭＡＣ処理部と、前記ゲートウェイ装置とそれぞれ接続した二個の第２の切替部であって、いずれか一方が信号の伝送を行う第２の切替部と、
起動時に、前記二個の第１の切替部と、前記二個の第２の切替部と、前記Ｍ個のＭＡＣ処理部とにおける異常の発生を監視し、前記二個の第１の切替部のうち信号を伝送する第１の切替部に異常が発生した場合、他方の第１の切替部に切り替え、前記二個の第２の切替部のうち信号を伝送する第２の切替部に異常が発生した場合、他方の第２の切替部に切り替え、前記Ｍ個のＭＡＣ処理部のいずれかに異常が発生した場合、（Ｍ−Ｎ）個の未使用のＭＡＣ処理部のうちいずれかのＭＡＣ処理部に切り替える監視制御部と
を備えることを特徴とする基地局システム。
【請求項６】
前記Ｎ個のＰＨＹ処理部、前記二個の第１の切替部、前記Ｍ個のＭＡＣ処理部及び前記二個の第２の切替部は、信号を入出力するためのポートをそれぞれ複数ずつ有し、
前記監視制御部は、前記複数のポートを監視し、前記複数のポートにおける信号の入力状況に基づいて前記異常の発生を判断することを特徴とする請求項５記載の基地局システム。
【請求項７】
前記ＭＡＣ処理部は、自己における異常の発生に応じて異常信号を生成する異常検出部をさらに備え、
前記監視制御部は、前記異常信号を受信した場合、前記ＭＡＣ処理部に異常が発生したと判断することを特徴とする請求項５記載の基地局システム。
【請求項８】
前記監視制御部は、前記ポートが正常に立ち上がらなかった場合、同一構成要素内の空きポートを立ち上げることを特徴とする請求項６記載の基地局システム。
【発明の詳細な説明】
【技術分野】
【０００１】
この発明は、分散型基地局を収容するベースバンドユニットと、このベースバンドユニットと分散型基地局とにより無線ゾーンを形成する基地局システムに関する。
【背景技術】
【０００２】
ワイヤレスブロードバンド技術が発展する中、通信分野における通信の高速化や高機能化、多機能化が益々進んでいる。
【０００３】
移動通信システムでは、サービスエリア内に設置された基地局と、そのエリア内の無線端末との間で無線通信を行う。このとき、従来の基地局は、無線部とベースバンド部とが一体となった構成が主流である（例えば、特許文献１参照）。この種の基地局１台に収容できる無線端末の最大数は、基地局のハードスペックに依存して決められる。無線端末から基地局へのアクセスが集中した場合、基地局の負荷が増大してビジー状態となるおそれがある。
【０００４】
ところで、近年では、従来の基地局からベースバンド部の機能を分離した基地局（以下、分散型基地局）が検討されている。複数の分散型基地局を一つのベースバンド部で収容した場合、複数の分散型基地局からの信号を一つのベースバンド部で処理できるため、集約効果が期待できる。また、複数の分散型基地局での信号処理を一つのベースバンド部において共有することで、統計多重効果が期待できるため、一体型基地局に比べ収容できる端末数を増やすことが出来る。
【０００５】
しかしながら、上述の移動通信システムでは、システム起動時において、分散型基地局が正常であっても、システムの起動が確保できない場合がある。これは、ベースバンド部を構成するＭＡＣ（Media Access Control）処理部に異常が発生した場合、そのＭＡＣ処理部の後段に位置する分散型基地局装置へ信号が伝送されなくなるためである。また、ベースバンド部を構成する複数の基板間の信号伝送経路は予め固定的に決定されているため、いずれかの基板が災害等の理由で起動されない場合、この基板で伝送されるはずであった信号が断となり、システムの起動が確保できない。さらに、基板における一部のポートが立ち上がらない場合にも、このポートにより伝送されるはずであった信号が断となり、システムの起動が確保できない。
【先行技術文献】
【特許文献】
【０００６】
【特許文献１】特開２００１−２４５６９号公報
【発明の概要】
【発明が解決しようとする課題】
【０００７】
以上のように、従来のベースバンドユニットでは、分散型基地局が正常であっても、ベースバンドユニットに備えられるＭＡＣ処理部に異常が生じた場合、移動通信システムの起動が確保できないという問題があった。
【０００８】
この発明は上記事情によりなされたもので、その目的は、分散型基地局が正常である場合に、ベースバンドユニットに備えられるＭＡＣ処理部に異常が発生しても、移動通信システムの起動を確保することが可能なベースバンドユニット及びこのベースバンドユニットを用いた基地局システムを提供することにある。
【課題を解決するための手段】
【０００９】
上記目的を達成するため、本発明に係るベースバンドユニットは、ゲートウェイ装置を介してネットワークと接続し、かつ、複数の基地局を収容するベースバンドユニットにおいて、それぞれが前記複数の基地局を収容し、受け取った信号の物理層における処理を行うＮ（Ｎは二以上の自然数）個のＰＨＹ処理部と、前記Ｎ個のＰＨＹ処理部とそれぞれ接続した二個の第１の切替部であって、いずれか一方が信号の伝送を行う第１の切替部と、前記二個の第１の切替部とそれぞれ接続し、受け取った信号に対してＭＡＣ（Media Access Control）処理を行うＭ（ＭはＮより大きい自然数）個のＭＡＣ処理部であって、前記Ｍ個のＭＡＣ処理部のうちいずれかが前記Ｎ個のＰＨＹ処理部のいずれかと対応付けられるＭＡＣ処理部と、前記Ｍ個のＭＡＣ処理部と、前記ゲートウェイ装置とそれぞれ接続した二個の第２の切替部であって、いずれか一方が信号の伝送を行う第２の切替部と、起動時に、前記二個の第１の切替部と、前記二個の第２の切替部と、前記Ｍ個のＭＡＣ処理部とにおける異常の発生を監視し、前記二個の第１の切替部のうち信号を伝送する第１の切替部に異常が発生した場合、他方の第１の切替部に切り替え、前記二個の第２の切替部のうち信号を伝送する第２の切替部に異常が発生した場合、他方の第２の切替部に切り替え、前記Ｍ個のＭＡＣ処理部のいずれかに異常が発生した場合、（Ｍ−Ｎ）個の未使用のＭＡＣ処理部のうちいずれかのＭＡＣ処理部に切り替える監視制御部とを具備する。
【００１０】
また、本発明に係る基地局システムは、ゲートウェイ装置を介してネットワークと接続する基地局システムにおいて、無線ゾーンを形成する複数の分散型基地局と、前記複数の分散型基地局を収容するベースバンドユニットとを具備し、前記ベースバンドユニットは、それぞれが前記複数の分散型基地局を収容し、受け取った信号の物理層における処理を行うＮ（Ｎは二以上の自然数）個のＰＨＹ処理部と、前記Ｎ個のＰＨＹ処理部とそれぞれ接続した二個の第１の切替部であって、いずれか一方が信号の伝送を行う第１の切替部と、前記二個の第１の切替部とそれぞれ接続し、受け取った信号に対してＭＡＣ（Media Access Control）処理を行うＭ（ＭはＮより大きい自然数）個のＭＡＣ処理部であって、前記Ｍ個のＭＡＣ処理部のうちいずれかが前記Ｎ個のＰＨＹ処理部のいずれかと対応付けられるＭＡＣ処理部と、前記Ｍ個のＭＡＣ処理部と、前記ゲートウェイ装置とそれぞれ接続した二個の第２の切替部であって、いずれか一方が信号の伝送を行う第２の切替部と、起動時に、前記二個の第１の切替部と、前記二個の第２の切替部と、前記Ｍ個のＭＡＣ処理部とにおける異常の発生を監視し、前記二個の第１の切替部のうち信号を伝送する第１の切替部に異常が発生した場合、他方の第１の切替部に切り替え、前記二個の第２の切替部のうち信号を伝送する第２の切替部に異常が発生した場合、他方の第２の切替部に切り替え、前記Ｍ個のＭＡＣ処理部のいずれかに異常が発生した場合、（Ｍ−Ｎ）個の未使用のＭＡＣ処理部のうちいずれかのＭＡＣ処理部に切り替える監視制御部とを備える。
【００１１】
上記構成によるベースバンドユニット及び基地局システムでは、監視制御部は、起動時にベースバンドユニット内の構成要素における異常の発生を監視し、異常があった場合には、その構成要素を正常なものに切り替えるようにしている。これにより、ベースバンドユニット内において、不通区間を作らないで、信号の伝送経路を変更することが可能となる。
【発明の効果】
【００１２】
この発明によれば、分散型基地局が正常である場合、ベースバンドユニットに備えられるＭＡＣ処理部に異常が発生しても、移動通信システムの起動を確保することが可能なベースバンドユニット及びこのベースバンドユニットを用いた基地局システムを提供することができる。
【図面の簡単な説明】
【００１３】
【図１】本発明の一実施形態に係る移動通信システムの機能構成を示すブロック図である。
【図２】図１のベースバンドユニットの機能構成を示すブロック図である。
【図３】図１のベースバンドユニットにおける信号導出経路の初期状態を示すブロック図である。
【図４】図３において、スイッチ部が切り替わった際のベースバンドユニットのブロック図を示す。
【図５】図３において、ＭＡＣ処理部が切り替わった際のベースバンドユニットのブロック図を示す。
【図６】図３において、スイッチ部が切り替わった際のベースバンドユニットのブロック図を示す。
【発明を実施するための形態】
【００１４】
以下、図面を参照しながら本発明に係るベースバンドユニット及び基地局システムの実施の形態について詳細に説明する。
【００１５】
図１は、本発明の一実施形態に係る移動通信システムの機能構成を示すブロック図である。図１における移動通信システムにおいて、基地局システム１０は、分散型基地局ＢＳ１〜ＢＳｎ（ｎは自然数）により無線ゾーンを形成し、ＰＨＳ等の移動端末（ＭＳ：Mobile Station）ＭＳと通信を行う。
【００１６】
ゲートウェイ装置２０は、ＩＰ（Internet Protocol）網ＮＷ１及びＰＳＴＮ（Public Switched Telephone Network）網ＮＷ２とのインタフェースとなるものである。ゲートウェイ装置２０は、ＩＰ網ＮＷ１及びＰＳＴＮ網ＮＷ２を介して制御情報及び音声／データ情報を受信し、基地局システム１０へ出力する。また、ゲートウェイ装置２０は、基地局システム１０からの信号を、ＩＰ網ＮＷ１及びＰＳＴＮ網ＮＷ２へ送信する。
【００１７】
基地局システム１０は、ベースバンドユニット１１と、分散型基地局ＢＳ１〜ＢＳｎ（ｎは自然数）とを備える。基地局ＢＳ１〜ＢＳｎは、例えば、マイクロセル方式に則ってサービスエリアに分散配置される。
【００１８】
図２は、本発明の一実施形態に係るベースバンドユニット１１の機能構成を示すブロック図である。ベースバンドユニット１１は、内部に例えば複数の基板を備える。図２に示される、スイッチ部１１１−１，１１１−２、ＭＡＣ（Media Access Control）処理部１１２−１〜１１２−ｋ（ｋは自然数）、スイッチ部１１３−１，１１３−２、ＰＨＹ処理部１１４−１〜１１４−ｍ（ｍは自然数）及び監視制御部１１５は、ベースバンドユニット１１内の基板に形成されることにより成る。ＰＨＹ処理部の設置個数「ｍ」は、ＭＡＣ処理部の設置個数「ｋ」よりも少ない。
【００１９】
ベースバンドユニット内の複数の基板には、スイッチ部１１１−１，１１１−２、ＭＡＣ処理部１１２−１〜１１２−ｋ、スイッチ部１１３−１，１１３−２及びＰＨＹ処理部１１４−１〜１１４−ｍに対して、信号を入出力するためのポートがそれぞれ複数個ずつ形成されている。スイッチ部１１１−１，１１１−２、ＭＡＣ処理部１１２−１〜１１２−ｋ、スイッチ部１１３−１，１１３−２及びＰＨＹ処理部１１４−１〜１１４−ｍは、このポートにより、隣接する構成要素と接続する。すなわち、スイッチ部１１１−１，１１１−２は、ゲートウェイ装置２０及びＭＡＣ処理部１１２−１〜１１２−ｋとそれぞれ接続する。また、ＭＡＣ処理部１１２−１〜１１２−ｋはさらに、スイッチ部１１３−１，１１３−２とそれぞれ接続する。また、スイッチ部１１３−１，１１３−２はさらに、ＰＨＹ処理部１１４−１〜１１４−ｍとそれぞれ接続し、ＰＨＹ処理部１４−１〜１１４−ｍは、光ケーブル等の伝送路を介して分離型基地局ＢＳと接続する。なお、この伝送路は光ケーブルに限定されるものではなく、他の伝送路を用いてもよい。
【００２０】
次に、上記構成における動作を説明する。
【００２１】
スイッチ部１１１−１，１１１−２のうちいずれか一方は、後述する監視制御部１１５からの第１の切替信号に従って、選択的に駆動される。スイッチ部１１１−１，１１１−２のうち駆動中のスイッチ部は、信号を受信したか否かを示すステータスをポート毎に記録する。駆動中のスイッチ部は、例えば、ゲートウェイ装置２０からの信号が受信された場合、そのポートのステータスを「ｕｐ」とし、所定の期間内にポートに信号が入力されない場合、そのポートのステータスを「ｄｏｗｎ」とする。
【００２２】
スイッチ部１１３−１，１１３−２のうちいずれか一方は、監視制御部１１５からの第２の切替信号に従って、選択的に駆動される。スイッチ部１１３−１，１１３−２のうち駆動中のスイッチ部は、ＰＨＹ処理部１１４−１〜１１４−ｍが接続されたポートと、ＭＡＣ処理部１１２−１〜１１２−ｋが接続されたポートとを、互いに関連付けて連結する。また、駆動中のスイッチ部は、信号を受信したか否かを示すステータスをポート毎に記録する。
【００２３】
ＭＡＣ処理部１１２−１〜１１２−ｋのうちいずれかは、スイッチ部１１３−１，１１３−２によりＰＨＹ処理部１１４−１〜１１４−ｍと対応付けられている。ＰＨＹ処理部１１４−１〜１１４−ｍと対応付けられたＭＡＣ処理部は、ＭＡＣプロトコルに従い、受け取った信号に対してＭＡＣ処理を行う。このとき、ｋ＞ｍであるため、（ｋ−ｍ）個のＭＡＣ処理部は非動作中となっている。また、ＰＨＹ処理部１１４−１〜１１４−ｍと対応付けられたＭＡＣ処理部は、信号を受信したか否かを示すステータスをポート毎に記録する。
【００２４】
また、ＭＡＣ処理部１１２−１〜１１２−ｋのうちＭＡＣ処理中のＭＡＣ処理部は、監視制御部１１５から後述するＭＡＣ処理切替信号を受信した場合、ＭＡＣ処理を停止する。また、ＭＡＣ処理部１１２−１〜１１２−ｋのうち非動作中のＭＡＣ処理部は、監視制御部１１５からＭＡＣ処理切替信号を受信した場合、ＭＡＣ処理を行う。
【００２５】
また、ＭＡＣ処理部１１２−１〜１１２−ｋは、自己のＭＡＣ処理における異常を検出する異常検出部１１２１を備える。異常検出部１１２１は、異常を検出した場合、異常信号を監視制御部１１５へ出力する。
【００２６】
ＰＨＹ処理部１１４−１〜１１４−ｍは、物理レイヤプロトコルに従って受け取った信号に対して無線伝送のための変復調および光電変換等を行う。ＰＨＹ処理部１１４−１〜１１４−ｍは、それぞれ複数の分散型基地局を収容し、これらの基地局により無線信号の送受信を行なう。なお、図２の例では、一個のＰＨＹ処理部につき、四個の基地局が収容されているが、これに限定される訳ではない。また、ＰＨＹ処理部１１４−１〜１１４−ｍは、信号を受信したか否かを示すステータスをポート毎に記録する。
【００２７】
監視制御部１１５は、移動通信システムの起動時に、スイッチ部１１１−１，１１１−２、ＭＡＣ処理部１１２−１〜１１２−ｋ、スイッチ部１１３−１，１１３−２及びＰＨＹ処理部１１４−１〜１１４−ｍにおけるポートのステータスを監視する。そして、監視制御部１１５は、ステータスが「ｄｏｗｎ」であるポートが存在する場合は、その状況に応じて、スイッチ部１１１−１，１１１−２を切り替える第１の切替信号、スイッチ部１１３−１，１１３−２を切り替える第２の切替信号、又は、異常の発生したＭＡＣ処理部に代わって非動作中のＭＡＣ処理部を駆動させるＭＡＣ処理切替信号を出力する。
【００２８】
また、監視制御部１１５は、ＭＡＣ処理部１１２−１〜１１２−ｋの異常検出部から異常信号を受けた場合、ＭＡＣ処理切替信号を出力することで、異常信号が発せられたＭＡＣ処理部を停止し、非動作中のＭＡＣ処理部を駆動させる。
【００２９】
また、監視制御部１１５は、システム起動時に、スイッチ部１１１−１，１１１−２、ＭＡＣ処理部１１２−１〜１１２−ｋ及びスイッチ部１１３−１，１１３−２のポートが正常に立ち上がったか否かを監視する。監視制御部１１５は、ポートが正常に立ち上がっていない場合には、その構成要素に対して、同一基板内における空きポートに接続を切り替え、切り替え後のポートを立ち上げるように指示を出す。
【００３０】
例えば、監視制御部１１５は、スイッチ部１１１−１，１１１−２，１１３−１，１１３−２のポートのうちいずれかのポートが正常に立ち上がっていない場合には、そのスイッチ部が形成された基板の空きポートに接続を切り替え、切り替え後のポートを立ち上げるように指示を出す。
【００３１】
また、監視制御部１１５は、ＭＡＣ処理部１１２−１〜１１２−ｋのポートのうちいずれかのポートが正常に立ち上がっていない場合には、スイッチ部１１１−１，１１１−２，１１３−１，１１３−２のいずれかに接続を切り替えさせ、同一のＭＡＣ処理部内の空きポートを立ち上げるようにする。
【００３２】
次に、図３乃至図６を用いてベースバンドユニット１１の動作を具体的に説明する。図３は、ベースバンドユニット１１における信号導出経路の初期状態を示すブロック図である。なお、ここでの初期状態は、説明を簡略化させるためのものであり、この構造に限定される訳ではない。
【００３３】
図３におけるベースバンドユニット１１は、ＰＨＹ処理部１１４−１〜１１４−３及びＭＡＣ処理部１１２−１〜１１２−４を備える。ベースバンドユニット１１は、移動通信システムが起動されると、スイッチ部１１１−２、ＭＡＣ処理部１１２−１，１１２−２，１１２−４、スイッチ部１１３−１及びＰＨＹ処理部１１４−１〜１１４−３が作動する。このとき、ＭＡＣ処理部１１２−３は、非動作状態となっている。
【００３４】
監視制御部１１５は、移動通信システムが起動されると、スイッチ部１１１−２、ＭＡＣ処理部１１２−１，１１２−２，１１２−４、スイッチ部１１３−１及びＰＨＹ処理部１１４−１〜１１４−３の各ポートのステータスを監視する。ここで、移動通信システムが下り信号を伝送している場合に、監視制御部１１５がポートＰ６，Ｐ８，Ｐ１２のステータスを「ｄｏｗｎ」であると検知したとする。このとき、監視制御部１１５は、下り信号の伝送元であるスイッチ部１１１−２に異常が発生したと判断する。監視制御部１１５は、第１の切替信号を生成し、スイッチ部１１１−１，１１１−２へ出力する。駆動中のスイッチ部１１１−２は、第１の切替信号を受けると動作を停止する。また、停止していたスイッチ部１１１−１は、第１の切替信号を受けると停止したスイッチ部１１１−２に代わって作動する。図４は、スイッチ部１１１−１がスイッチ部１１１−２に代わって作動する際のベースバンドユニット１１内の信号伝送経路を示すブロック図である。
【００３５】
また、図３において、移動通信システムが下り信号を伝送している場合に、監視制御部１１５がポートＰ１７のステータスを「ｄｏｗｎ」であると検知したとする。このとき、監視制御部１１５は、下り信号の伝送元であるＭＡＣ処理部１１２−４に異常が発生したと判断する。監視制御部１１５は、ＭＡＣ処理切替信号を生成し、スイッチ部１１１−２、ＭＡＣ処理部１１２−４及びスイッチ部１１３−１と、非動作状態にあるＭＡＣ処理部１１２−３とへ出力する。スイッチ部１１１−２，１１３−１は、ＭＡＣ処理切替信号を受信すると、ＭＡＣ処理部１１３−４の切り替え先であるＭＡＣ処理部１１３−３へ信号の導出を切り替える。また、ＭＡＣ処理部１１２−４は、ＭＡＣ処理切替信号を受信すると、動作を停止する。また、ＭＡＣ処理部１１２−３は、ＭＡＣ処理切替信号を受信すると、停止したＭＡＣ処理部１１２−４に代わってＭＡＣ処理を行う。図５は、動作するＭＡＣ処理部がＭＡＣ処理部１１２−４からＭＡＣ処理部１１３−３へ切り替わった際のベースバンドユニット１１内の信号伝送経路を示すブロック図である。
【００３６】
また、図３において、移動通信システムが上り信号を伝送している場合に、監視制御部１１５がポートＰ５のステータスが「ｄｏｗｎ」であると検知したとする。このとき、監視制御部１１５は、上り信号の伝送元であるＭＡＣ処理部１１２−４に異常が発生したと判断する。そして、監視制御部１１５は、ＭＡＣ処理切替信号を生成し、スイッチ部１１１−２、ＭＡＣ処理部１１２−４及びスイッチ部１１３−１と、非動作状態にあるＭＡＣ処理部１１２−３とへ出力する。これにより、図５に示すように、ＭＡＣ処理部１１２−３がＭＡＣ処理部１１２−４に代わって動作することとなる。
【００３７】
また、図３において、監視制御部１１５は、ＭＡＣ処理部１１２−４の異常検出部から異常信号を受信した場合、ＭＡＣ処理部１１２−４に異常が発生したと判断する。そして、監視制御部１１５は、ＭＡＣ処理切替信号を生成し、スイッチ部１１１−２、ＭＡＣ処理部１１２−４及びスイッチ部１１３−１と、非動作状態にあるＭＡＣ処理部１１２−３とへ出力する。これにより、図５に示すように、ＭＡＣ処理部１１２−３がＭＡＣ処理部１１２−４に代わって動作することとなる。
【００３８】
また、図３において、移動通信システムが下り信号を伝送している場合に、監視制御部１１５がポートＰ１８，Ｐ１９，Ｐ２０のステータスを「ｄｏｗｎ」であると検知したとする。このとき、監視制御部１１５は、下り信号の伝送元であるスイッチ部１１３−１に異常が発生したと判断する。そして、監視制御部１１５は、第２の切替信号を生成し、スイッチ部１１３−１，１１３−２へ出力する。駆動中のスイッチ部１１３−１は、第２の切替信号を受けると動作を停止する。また、停止していたスイッチ部１１３−２は、第２の切替信号を受けると停止したスイッチ部１１３−１に代わって作動する。図６は、スイッチ部１１３−２がスイッチ部１１３−１に代わって作動する際のベースバンドユニット１１の信号伝送経路を示すブロック図である。
【００３９】
また、図３において、移動通信システムが上り信号を伝送している場合に、監視制御部１１５がポートＰ７，Ｐ９，Ｐ１１，Ｐ１３のステータスが「ｄｏｗｎ」であると検知したとする。このとき、監視制御部１１５は、上り信号の伝送元であるスイッチ部１１１−１に異常が発生したと判断し、図６のように、スイッチ部１１３−２をスイッチ部１１３−１に代わって駆動させる。
【００４０】
以上のように、上記一実施形態では、監視制御部１１５は、移動通信システムの起動時にステータスが「ｄｏｗｎ」であるポートがある場合、その状況に応じてスイッチ部１１１−１，１１１−２、ＭＡＣ処理部１１２−１〜１１２−ｋ及びスイッチ部１１３−１，１１３−２のうち少なくともいずれかを切り替えるようにしている。また、監視制御部１１５は、移動通信システムの起動時にＭＡＣ処理部から異常信号が出力された場合、異常信号を発したＭＡＣ処理部の代わりに非動作状態のＭＡＣ処理部を駆動させるようにしている。これにより、システム起動時に異常が発生した機器を検知し、その代わりに正常な機器を駆動させることが可能となる。つまり、不通区間を作らないように、ベースバンドユニット１１における信号の伝送経路を変更することが可能となる。
【００４１】
また、上記一実施形態では、ベースバンドユニットは、ユニット内に異常を生じた機器があっても、その機器を正常な機器に切り替えることで、システムの起動を確保するようにしている。そのため、災害時において、ベースバンドユニット内の機器のいずれかが故障した場合であっても、システムの起動に必要な最低限の機器さえ正常であれば、システムを起動することが可能である。つまり、本発明に係るベースバンドユニットによれば、災害時において、無線端末間の通信接続が確立されやすくなる。
【００４２】
また、上記一実施形態では、監視制御部１１５は、システム起動時に、構成要素のポートが正常に立ち上がったか否かを監視する。そして、監視制御部１１５は、ポートが正常に立ち上がっていない場合には、その構成要素に対して、同一基板内における空きポートに接続を切り替え、切り替え後のポートを起動するように指示を出すようにしている。これにより、ポートが正常に起動されることとなり、ＰＨＹ処理部１１４−１〜１１４−ｍとの接続を確保することが可能となる。
【００４３】
したがって、本発明に係るベースバンドユニット及び基地局システムは、分散型基地局が正常である場合、ベースバンドユニットに備えられるＭＡＣ処理部に異常が発生しても、移動通信システムの起動を確保することができる。
【００４４】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４５】
１０…基地局システム
１１…ベースバンドユニット
１１１−１，１１１−２…スイッチ部
１１２−１〜１１２−ｋ…ＭＡＣ処理部
１１２１…異常検出部
１１３−１，１１３−２…スイッチ部
１１４−１〜１１４−ｍ…ＰＨＹ処理部
１１５…監視制御部
２０…ゲートウェイ装置
ＭＳ…移動端末
ＢＳ１〜ＢＳｎ…分散型基地局
ＮＷ１…ＩＰ網
ＮＷ２…ＰＳＴＮ網
【図１】
2011091689.tif 000003
【図２】
2011091689.tif 000004
【図３】
2011091689.tif 000005
【図４】
2011091689.tif 000006
【図５】
2011091689.tif 000007
【図６】
2011091689.tif 000008